(57)【要約】【課題】採点基準であるメロディーにどれだけ忠実かという評価に加えて、しゃくり上げを検出ししゃくり上げが効いていると判断した場合には、評価を上げるように採点するしゃくり上げ採点機能を有するカラオケ採点装置を提供する。【解決手段】マイク入力した歌い手の音声情報から抽出された音程成分と記憶装置からの演奏データの音程成分を比較部１０ｂで比較する。評価部１０ｃで評価した結果を加算部１２に送る。音程成分を微分し、しゃくり上げ判定部１１ｂでしゃくり上げ波形の判定を行う。評価部１１ｃにおけるしゃくり上げを評価した結果も加算部１２に送り、表示装置に採点結果を表示する。【選択図】　　　　図２
2004102149.tif 000002
【特許請求の範囲】
【請求項１】
歌い手の唄を入力するためのマイクと、
前記マイクに入力した音声情報を高速フーリエ変換して音程成分を抽出する音程検出手段と、
１以上の唄の演奏データを格納する記憶手段と、
前記記憶手段の演奏データに基づき音楽をスピーカより出力させる音楽発生手段と、
カラオケの歌詞テロップ，採点結果などのカラオケ情報を表示する表示手段と、
カラオケ開始指示により、選択された唄の演奏データを前記記憶装置より読み出し前記音声発生手段に対し伴奏曲を奏でるように制御し、マイクに入力した歌い手の音声情報から抽出された音程成分を微分してしゃくり上げ成分を検出し、演奏データのメロディーの音程と歌い手が唄った音程を比較し、評価を行うとともにしゃくり上げ成分に対する評価も加え、その評価結果を可視または可聴表示する演算手段と、
から構成したことを特徴とするしゃくり上げ採点機能を有するカラオケ採点装置。
【請求項２】
前記演算手段は検出されたしゃくり上げ成分が所定のランプ波形になっている場合、適切なしゃくり上げであると評価するしゃくり上げ評価手段を有することを特徴とする請求項１記載のしゃくり上げ採点機能を有するカラオケ採点装置。
【発明の詳細な説明】
【０００１】
【発明の属する技術分野】
本発明は、通常の唄採点機能にしゃくり上げ採点機能を加えたカラオケ採点装置に関する。
【０００２】
【従来の技術】
従来、通信カラオケ装置では、リクエストした音楽の伴奏を行い歌い手の音声を拡声するとともにその伴奏により唄う歌い手の唄が上手か否かを評価し採点する機能が搭載されている。
この通信カラオケに付加されていた採点機能は、音楽データに含まれるガイドメロディーの音程と、検出した歌い手が唄った音程がどれだけ正確に長い時間合致しているかを検出し、所定の基準で採点をして評価していた。その評価結果は、ＣＲＴなどの表示部に表示していた。
【０００３】
【発明が解決しようとする課題】
しかしながら、上記採点機能では、唄の上手な人であるにもかかわらず、むしろあまり上手でない人よりも点数が低く評価されることがあった。この理由のひとつに、唄の上手な人がしゃくり上げすることが挙げられる。
しゃくり上げは、採点の基準になるガイドメロディーに記録されていないので、歌い手が各所にしゃくり上げを行うとガイドメロディの音程曲線から外れることとなり、減点の対象となっていたからである。
【０００４】
本発明の目的は、従来の採点基準であるメロディーにどれだけ忠実かという評価に加えて、しゃくり上げを検出ししゃくり上げが効いていると判断した場合には、評価を上げるように採点するしゃくり上げ採点機能を有するカラオケ採点装置を提供することにある。
【０００５】
【課題を解決するための手段】
前記目的を達成するために本発明によるしゃくり上げ採点機能を有するカラオケ採点装置は、歌い手の唄を入力するためのマイクと、
前記マイクに入力した音声情報を高速フーリエ変換して音程成分を抽出する音程検出手段と、１以上の唄の演奏データを格納する記憶手段と、前記記憶手段の演奏データに基づき音楽をスピーカより出力させる音楽発生手段と、カラオケの歌詞テロップ，採点結果などのカラオケ情報を表示する表示手段と、カラオケ開始指示により、選択された唄の演奏データを前記記憶装置より読み出し前記音声発生手段に対し伴奏曲を奏でるように制御し、マイクに入力した歌い手の音声情報から抽出された音程成分を微分してしゃくり上げ成分を検出し、演奏データのメロディーの音程と歌い手が唄った音程を比較し、評価を行うとともにしゃくり上げ成分に対する評価も加え、その評価結果を可視または可聴表示する演算手段とから構成されている。
また、本発明における、前記演算手段は検出されたしゃくり上げ成分が所定のランプ波形になっている場合、適切なしゃくり上げであると評価するしゃくり上げ評価手段を備えている。
【０００６】
【発明の実施の形態】
以下、図面を参照して本発明の実施の形態を詳しく説明する。
図１は、本発明によるしゃくり上げ採点機能を有するカラオケ採点装置の実施の形態を示す回路ブロック図である。
この実施の形態は、通信カラオケ装置に採点機能を搭載したものであり、本発明に直接関係する構成部のみを記載してある。
本発明によるカラオケ採点装置はマイク２，記憶装置３，音程検出部４，演算装置５，音楽発生装置６，表示装置７およびスピーカ８を備えている。
音程検出部４はマイク２から入力される歌い手１の音声を高速フーリエ変換し音程成分を検出する回路により構成されている。
記憶装置３には多数のカラオケの曲（演奏データ）およびその曲対応の背景画，歌詞テロップ，その他の情報が蓄えられている。
【０００７】
音楽発生装置６は、記憶装置３からの選曲されたメロディーに従って音楽を発生し、スピーカ８より出力させるものである。表示装置７はＣＲＴ装置などであり、カラオケの選曲画面，演奏開始から終了時までの画面などを表示する。演奏時には選曲したカラオケ曲対応の背景画を表示するとともに伴奏に併せて歌詞テロップが流れる。
演算装置５は、歌い手が図示しない入力手段（リモコンも含む）により表示装置７または図示しない表示部に表示される多数のカラオケ曲から特定の曲を選択すると、その信号を受けて記憶装置３より対応のカラオケ曲の演奏データを読み出し、音楽発生装置６により音楽を発生させスピーカ８より出力させる。同時に背景画および歌詞テロップを表示装置７に表示させる。歌詞テロップは演奏にしたがって画面上を流れ、演奏されている部分の文字の色が変化し、歌い手は伴奏に従って唄を唄う。演算装置５は、音声検出部４で抽出された音程成分に対する音程の評価と、さらに音程成分を微分して得られる波形がしゃくり上げであるか否かを判定し、しゃくり上げであると判断した場合にはその評価点も加える制御を行う。
【０００８】
図２は、演算装置の詳細を示す回路ブロック図である。
演算装置５は、音程評価部１０としゃくり上げ評価部１１を有している。音程評価部１０は、音程検出部４からの歌い手が唄った音声情報の音程成分を比較部１０ｂの一方の端子に入力し、記憶装置３から読み出した演奏データの音程成分１０ａを比較部１０ｂの他方の端子に入力する。比較部１０ｂは両入力信号の差分を検出し評価部１０ｃに送る。評価部１０ｃは、例えば評価テーブルを持っており、この評価テーブルを参照して入力される差分の値を評価し点数を付与する。これは、例えば１小節毎に行なわれ、１曲での評価は全ての小節の平均点を算出することにより行われ、その評価点は加算部１２に送られる。
【０００９】
図３に、ガイドメロディーと歌い手の音程の波形例を示す。
歌い手が上手に唄っていれば、例えばｔ１　における（ａ）の演奏データの音程と（ｂ）の歌い手の音程との差が少なくなる。上手でなければ、音程が大きく外れるので差分が大きくなる。評価部１０ｃではこの差分信号を１小節分積分し、その値と評価テーブルとを比較し、積分値が評価テーブルのどの評価点に属するかを決定する。
【００１０】
図２をさらに説明する。
音程検出部４からの音程成分は微分回路１１ａで微分され、音量変化が抽出される。しゃくり上げは音量に対する一定の割合で音量が増加するもので、通常、ランプ波形になる。したがって、音程検出部４からの音程成分にこのようなしゃくり上げが含まれていれば、微分された信号は、図４に示すように音量変化の周波数に対するスペクトルとして現れる。
このスペクトルはしゃくり上げが不安定であると、図５（ａ）に示すような滑らかなカーブとはならず、（ｂ）に示すようなギザギザを有する波形となる。
【００１１】
図２において、微分回路１１ａからの音量変化はしゃくり上げ判定部１１ｂによって特性が判定される。信号の判定結果は評価部１１ｃに送られる。評価部１１ｃは、一定の割合で増加を示しているか否か、波形が滑らかになっているか否かなどを判断し、しゃくり上げであるか否かの信号を評価点として出力する。例えば、しゃくり上げの信号である場合には所定の評価点を、しゃくり上げでない場合には評価点０を出力する。
【００１２】
評価部１１ｃから出力された評価点は加算部１２において、音程評価部６からの評価点に加算される。
加算部１２で加算した評価点は、唄っている間、表示装置７に小刻みに表示することができ、唄が終了した時点では１曲の評価点が表示される。
【００１３】
図６は、本発明によるしゃくり上げ採点機能を有するカラオケ採点装置の動作を説明するためのフローチャートである。
歌い手が入力手段により多数のカラオケ曲から特定の曲をリクエストすると、演奏が開始する（ステップ（以下「Ｓ」という）６０１，Ｓ６０２）。歌い手が唄い始める（Ｓ６０３）と、マイクから入力される歌い手の唄の音程を音程検出部４により検出する（Ｓ６０４）。そして演算装置５は微分回路１１ａ，しゃくり上げ判定部１１ｂおよび評価部１１ｃによりしゃくり上げを検出する（Ｓ６０５）。また、音程の評価も行う。その評価結果を表示する（Ｓ６０６）。
演算装置５は、曲が終了したか否かを判断し（Ｓ６０７）、曲が終了していない場合は、Ｓ６０４に戻り、同様の動作を繰り返す。曲が終了した場合には、採点が終了する（Ｓ６０８）。
【００１４】
以上の実施の形態は、音楽に合わせた唄でしゃくり上げを検出するものであるが、音楽に関係なくしゃくり上げを検出することも可能である。その場合は、演算装置のしゃくり上げ評価部１１のみを作動させて表示すれば良い。
また、音程評価部での評価の方法は、点数表示ではなく、「上手」，「普通」，「もう少し努力して下さい」などと文字表示するように評価部を構成しても良い。しゃくり上げ評価部の評価も同様な表示となる。
さらに、評価した情報を即時的に表示装置に表示し、曲終了により１曲の評価情報を表示する例について説明したが、曲が終了した時点で評価情報を表示するようにしても良い。さらには点数，文字表現ではなく、棒グラフの長さを評価内容に対応させ棒グラフの増減で表現してもよい。
また、視覚表示のみでなく、音声による表示を同時に行っても良いし、音声のみによる表示を行っても良い。
【００１５】
【発明の効果】
以上説明したように本発明は、通常のメロディーガイドに対し、音程がどれだけ上手に再現されたかを評価する採点機能に加えて、しゃくり上げを加点の対象とし、しゃくり上げが認識された場合、加点するように構成されているので、しゃくり上げを効果として加えることができる唄の上手な人に高い得点が出るように改善を図ることができる。また、このしゃくり上げ採点機能によって、しゃくり上げの練習装置として用いることも可能である。
【図面の簡単な説明】
【図１】本発明によるしゃくり上げ採点機能を有するカラオケ採点装置の実施の形態を示す回路ブロック図である。
【図２】演算装置の詳細を示す回路ブロック図である。
【図３】ガイドメロディーと歌い手の音程の波形例を示す図である。
【図４】しゃくり上げの波形例を示す図である。
【図５】しゃくり上げの滑らかさを説明するための図である。
【図６】本発明によるしゃくり上げ採点機能を有するカラオケ採点装置の動作を説明するためのフローチャートである。
【符号の説明】
１　歌い手
２　マイク
３　記憶装置
４　音程検出部
５　演算装置
６　音楽発生装置
７　表示装置
８　スピーカ
１０　音程評価部
１０ａ　演奏データ音程成分
１０ｂ　比較部
１０ｃ，１１ｃ　評価部
１１　しゃくり上げ評価部
１１ａ　微分回路
１１ｂ　しゃくり上げ判定部
１２　加算部
【図１】
2004102149.tif 000003
【図２】
2004102149.tif 000004
【図３】
2004102149.tif 000005
【図４】
2004102149.tif 000006
【図５】
2004102149.tif 000007
【図６】
2004102149.tif 000008